(57)【要約】【課題】設置スペースの省スペース化を図ることのできる洗車機を提供する。【解決手段】被洗浄車両ＣＡの両側面の前部及び前面を洗浄する左右一対の第１サイドブラシ５と、被洗浄車両ＣＡの両側面の後部及び後面を洗浄する一の第２サイドブラシ３０とを備え、第２サイドブラシ３０が被洗浄車両ＣＡの後面を洗浄する際に被洗浄車両ＣＡの後面の左右方向の一端から他端に向かって進行し、後面の一端から中央部Ｐ１の間で進行方向の反対方向に被洗浄車両ＣＡ上を摺動する第１回転方向Ｖ３で回転し、後面の中央部から他端の間で第１回転方向Ｖ３の反対方向の第２回転方向Ｖ４で回転する。【選択図】図２
2018172055.tif 000002
【特許請求の範囲】
【請求項１】
被洗浄車両に対して前後に移動する洗車機本体と、前記洗車機本体に配される左右一対の第１サイドブラシと、前記第１サイドブラシに対して被洗浄車両の進入側に配される一の第２サイドブラシと、前記第１サイドブラシと前記第２サイドブラシとの間に配して被洗浄車両の上面を洗浄するトップブラシとを備え、前記第１サイドブラシによって被洗浄車両の両側面の前部及び被洗浄車両の前面を洗浄するとともに、前記第２サイドブラシによって被洗浄車両の両側面の後部及び被洗浄車両の後面を洗浄し、
前記第２サイドブラシが被洗浄車両の後面を洗浄する際に被洗浄車両の後面の左右方向の一端から他端に向かって進行し、後面の一端から中央部の間で進行方向の反対方向に被洗浄車両上を摺動する第１回転方向で回転し、後面の中央部から他端の間で前記第１回転方向の反対方向の第２回転方向で回転することを特徴とする洗車機。
【請求項２】
前記第２サイドブラシが被洗浄車両の一側面を洗浄する際に被洗浄車両の後方に進行して前記第１回転方向で回転し、他側面を洗浄する際に被洗浄車両の前方に進行して前記第１回転方向で回転することを特徴とする請求項１に記載の洗車機。
【請求項３】
洗車開始時に前記第２サイドブラシが洗浄時よりも低速で回転することを特徴とする請求項１または請求項２に記載の洗車機。
【請求項４】
洗車終了後の所定期間に前記第２サイドブラシが洗浄時よりも低速で回転することを特徴とする請求項１〜請求項３のいずれかに記載の洗車機。
【請求項５】
前記第２サイドブラシが前記第１サイドブラシと異なる材質または色彩であることを特徴とする請求項１〜請求項４のいずれかに記載の洗車機。
【請求項６】
前記第１サイドブラシと前記第２サイドブラシとの間に配して被洗浄車両を乾燥させる送風ノズルを備えたことを特徴とする請求項１〜請求項５のいずれかに記載の洗車機。
【請求項７】
前記洗車機本体が被洗浄車両の乾燥時に被洗浄車両の前方に向かって進行して、乾燥終了時に被洗浄車両の後方に向かって進行し、前記第２回転ブラシが被洗浄車両の後方に配された後に左右方向に移動して被洗浄車両の助手席側に配されることを特徴とする請求項６に記載の洗車機。
【請求項８】
入力操作を行う操作部を備え、前記操作部の入力設定により洗車の開始時に前記第２サイドブラシが被洗浄車両の助手席側に配されることを特徴とする請求項７に記載の洗車機。
【発明の詳細な説明】
【技術分野】
【０００１】
本発明は被洗浄車両を洗浄する回転ブラシを備えた洗車機に関する。
【背景技術】
【０００２】
給油所等に洗車機が設置される従来の洗車機は特許文献１に開示される。この洗車機は被洗浄車両を跨ぐ門型の洗車機本体を備える。洗車機本体は洗浄部及び乾燥部を有し、被洗浄車両の進入路に沿って前後方向に移動する。
【０００３】
洗浄部は上部に配したトップブラシ及び両側部に配したサイドブラシから成る複数の回転ブラシを有している。トップブラシは昇降可能に設けられ、サイドブラシは左右方向に移動可能に設けられる。また、トップブラシはサイドブラシよりも洗車機本体の入口面側に配される。各回転ブラシは駆動モータによって回転して被洗浄車両を洗浄する。
【０００４】
乾燥部は上部に配したトップ送風ノズル及び両側部に配したサイド送風ノズルから成る複数の送風ノズルを有している。トップ送風ノズルは昇降可能に設けられる。各送風ノズルは被洗浄車両に空気を送出して被洗浄車両を乾燥させる。
【０００５】
上記構成の洗車機において、所定の洗車条件が設定されると、洗車機本体が前後方向に移動して洗浄部による洗浄が行われる。被洗浄車両の上面はトップブラシが昇降するとともに洗車機本体の移動に伴って前後移動することにより洗浄される。被洗浄車両の両側面はサイドブラシが洗車機本体の移動に伴って前後移動することにより洗浄される。被洗浄車両の前後面は洗車機本体を停止して両サイドブラシが互いに接近することにより洗浄される。
【０００６】
洗浄部による洗浄に続いて乾燥部による乾燥が行われる。被洗浄車両の上面はトップ送風ノズルが昇降するとともに洗車機本体の移動に伴って前後移動することにより洗浄される。被洗浄車両の両側面はサイド送風ノズルが洗車機本体の移動に伴って前後移動することにより洗浄される。被洗浄車両の前後面は洗車機本体を停止してトップ送風ノズルが昇降することにより洗浄される。これにより、被洗浄車両の洗車が行われる。
【先行技術文献】
【特許文献】
【０００７】
【特許文献１】特開平０６−１７１４７６号公報
【発明の概要】
【発明が解決しようとする課題】
【０００８】
しかしながら、上記従来の洗車機によると、トップブラシよりも前方（入口面の反対側）に配されるサイドブラシにより被洗浄車両の後面が洗浄されるため、被洗浄車両の後方に洗車機本体が移動できるスペースを広く必要とする。即ち、少なくともサイドブラシの半径、サイドブラシとトップブラシとの中心間距離及びトップブラシの半径を加算した長さのスペースが最大車長の被洗浄車両の後方に必要になる。このため、洗車機本体の前後ストロークが長くなり、洗車機の設置スペースが大きくなる問題があった。
【０００９】
本発明は、設置スペースの省スペース化を図ることのできる洗車機を提供することを目的とする。
【課題を解決するための手段】
【００１０】
上記目的を達成するために本発明は、被洗浄車両に対して前後に移動する洗車機本体と、前記洗車機本体に配される左右一対の第１サイドブラシと、前記第１サイドブラシに対して被洗浄車両の進入側に配される一の第２サイドブラシと、前記第１サイドブラシと前記第２サイドブラシとの間に配して被洗浄車両の上面を洗浄するトップブラシとを備え、前記第１サイドブラシによって被洗浄車両の両側面の前部及び被洗浄車両の前面を洗浄するとともに、前記第２サイドブラシによって被洗浄車両の両側面の後部及び被洗浄車両の後面を洗浄し、前記第２サイドブラシが被洗浄車両の後面を洗浄する際に被洗浄車両の後面の左右方向の一端から他端に向かって進行し、後面の一端から中央部の間で進行方向の反対方向に被洗浄車両上を摺動する第１回転方向で回転し、後面の中央部から他端の間で前記第１回転方向の反対方向の第２回転方向で回転することを特徴とする。
【００１１】
また、本発明は上記構成の洗車機において、前記第２サイドブラシが被洗浄車両の一側面を洗浄する際に被洗浄車両の後方に進行して前記第１回転方向で回転し、他側面を洗浄する際に被洗浄車両の前方に進行して前記第１回転方向で回転することを特徴とする。
【００１２】
また、本発明は上記構成の洗車機において、洗車開始時に前記第２サイドブラシが洗浄時よりも低速で回転することを特徴とする。
【００１３】
また、本発明は上記構成の洗車機において、洗車終了後の所定期間に前記第２サイドブラシが洗浄時よりも低速で回転することを特徴とする。
【００１４】
また、本発明は上記構成の洗車機において、前記第２サイドブラシが前記第１サイドブラシと異なる材質または色彩であることを特徴とする。
【００１５】
また、本発明は上記構成の洗車機において、前記第１サイドブラシと前記第２サイドブラシとの間に配して被洗浄車両を乾燥させる送風ノズルを備えたことを特徴とする。
【００１６】
また、本発明は上記構成の洗車機において、前記洗車機本体が被洗浄車両の乾燥時に被洗浄車両の前方に向かって進行して、乾燥終了時に被洗浄車両の後方に向かって進行し、前記第２回転ブラシが被洗浄車両の後方に配された後に左右方向に移動して被洗浄車両の助手席側に配されることを特徴とする。
【００１７】
また、本発明は上記構成の洗車機において、入力操作を行う操作部を備え、前記操作部の入力設定により洗車の開始時に前記第２サイドブラシが被洗浄車両の助手席側に配されることを特徴とする。
【発明の効果】
【００１８】
本発明によると、一対の第１サイドブラシと第１サイドブラシに対して被洗浄車両の進入側に配した一の第２サイドブラシとの間にトップブラシが配される。また、第１サイドブラシにより被洗浄車両の両側面の前部及び被洗浄車両の前面を洗浄する。第２サイドブラシによって被洗浄車両の両側面の後部及び被洗浄車両の後面を洗浄する。このため、洗車機本体が被洗浄車両の後方に突出する距離を小さくすることができる。これにより、洗車機本体の前後ストロークを短縮し、洗車機の設置スペースの省スペース化を図ることができる。
【００１９】
また、第２サイドブラシが被洗浄車両の後面を洗浄する際に被洗浄車両の後面の左右方向の一端から他端に向かって進行する。そして、後面の一端から中央部の間で進行方向の反対方向に被洗浄車両上を摺動する第１回転方向で回転する。また、後面の中央部から他端の間で第１回転方向の反対方向の第２回転方向で回転する。このため、被洗浄車両にリアワイパが設けられた際に、サイドブラシがリアワイパの支軸から開放端に向かって摺動してリアワイパを被洗浄車両の後面に押しつける。これにより、リアワイパの開放端が回転するサイドブラシにより被洗浄車両の後面から引き剥がされることによるリアワイパの破損を防止することができる。
【図面の簡単な説明】
【００２０】
【図１】本発明の一実施形態の洗車機を示す側面図
【図２】本発明の一実施形態の洗車機を示す斜視図
【図３】本発明の一実施形態の洗車機の洗車機本体概要を示す正面図
【図４】本発明の一実施形態の洗車機のサイドブラシの上部を示す正面図
【図５】本発明の一実施形態の洗車機を示す側面図
【図６】本発明の一実施形態の洗車機の洗車機本体の右前部を示す上面図
【図７】本発明の一実施形態の洗車機の洗車機本体の右前部を示す斜視図
【図８】本発明の一実施形態の洗車機の洗車状態を示す上面図
【図９】本発明の一実施形態の洗車機の洗車状態を示す上面図
【図１０】本発明の一実施形態の洗車機の洗車状態を示す上面図
【図１１】本発明の一実施形態の洗車機のサイドブラシによる洗車状態を示す正面図
【図１２】本発明の一実施形態の洗車機のサイドブラシによる洗車状態を示す正面図
【図１３】本発明の一実施形態の洗車機のサイドブラシによる洗車状態を示す正面図
【図１４】本発明の一実施形態の洗車機のサイドブラシによる洗車状態を示す正面図
【図１５】本発明の一実施形態の洗車機の洗車状態を示す上面図
【図１６】本発明の一実施形態の洗車機の洗車状態を示す側面図
【発明を実施するための形態】
【００２１】
以下に図面を参照して本発明の実施形態を説明する。図１、図２は本発明の一実施形態の洗車機ＷＡを示す側面図及び斜視図である。洗車機ＷＡはリモートパネル７（操作部）及び洗車機本体１を備えている。
【００２２】
リモートパネル７は被洗浄車両ＣＡの進入路Ｒに沿って配される。被洗浄車両ＣＡはリモートパネル７の面前で停車し、ユーザはリモートパネル７の操作によって洗車条件の設定を行う。
【００２３】
リモートパネル７に設けたボタンにより、シャンプー、ワックス掛け、撥水コート等に使用する液剤を用いた洗車条件を設定することができる。また、リモートパネル７によってフロントガード有り、フェンダーポール有り、サイドミラー有り、リヤワイパ有り、ルーフキャリア有り等の装備品の設定もすることができる。
【００２４】
また、被洗浄車両ＣＡの運転席が左側の場合はリモートパネル７の操作により、後述するサイドブラシ３０が被洗浄車両ＣＡの右側（助手席側）に配される。
【００２５】
洗車機本体１は左右の対向する２つのスタンド部９０と、スタンド部９０の上端を連結する天井部９１とを有した門型に形成される。天井部９１はスタンド部９０から被洗浄車両ＣＡの進入側に向かって突出する庇部４０を有している。庇部４０は軸部４０ａを中心に回動可能に設けられる。
【００２６】
地面Ｇ上には左右一対のレール２が敷設され、スタンド部９０の底面に設けた車輪３がレール２上に配される。これにより、洗車機本体１はレール２上に立設し、走行モータ（不図示）の駆動によりレール２上を走行して被洗浄車両ＣＡに対して前後に移動する。
【００２７】
スタンド部９０には洗剤やワックス等の各種液剤を貯液した複数の貯液タンク（不図示）を収納するタンク収納部２９が配される。タンク収納部２９の上方には各貯液タンクからの液剤を分配する分配配管部２８が設けられる。分配配管部２８には噴射ノズルからなる第１、第２浄水ノズル１１、１３、第１、第２洗剤ノズル１２、１５、撥水コートノズル１４、ワックスノズル１６がそれぞれ電磁弁（不図示）を介して導出される。
【００２８】
第１、第２浄水ノズル１１、１３は洗車機本体１の入口面１ａ側及び出口面１ｂ側にそれぞれ配され、被洗浄車両ＣＡに対して洗浄水を噴射する。第１、第２洗剤ノズル１２、１５は洗車機本体１の入口面１ａ側及び出口面１ｂ側にそれぞれ配され、被洗浄車両ＣＡに対して洗剤を噴射する。撥水コートノズル１４及びワックスノズル１６は洗車機本体１の出口面１ｂ側に配される。撥水コートノズル１４は被洗浄車両ＣＡに対して撥水コート剤の液体を噴射する。ワックスノズル１６は被洗浄車両ＣＡに対して液体のワックスを噴射する。
【００２９】
一方のスタンド部９０内には水タンク７０が設けられる。水タンク７０は配管（不図示）を介して分配配管部２８に接続される。水タンク７０は左右方向の大きさを前後方向の大きさよりも小さく形成し、スタンド部９０内に収納される。水タンク７０内には例えば、約１１０リットルの洗浄水が貯水される。
【００３０】
また、スタンド部９０の入口面１ａ側には車両検出センサ９が設けられている。車両検出センサ９は発光部及び受光部を有した光電センサ、超音波センサ等から成り、洗車機本体１に進入する被洗浄車両ＣＡの車長及び外面形状を検知する。
【００３１】
洗車機本体１には気流を発生して被洗浄車両ＣＡを乾燥させるブロア２０が設けられる。ブロア２０にはサイド送風ノズル２２及びトップ送風ノズル２１から成る複数の送風ノズル（乾燥部）が接続される。サイド送風ノズル２２は両スタンド部９０にそれぞれ設けられ、被洗浄車両ＣＡの側面に向けて送風する。トップ送風ノズル２１は天井部９１に設けられ、被洗浄車両ＣＡの上面に向けて送風する。
【００３２】
なお、トップ送風ノズル２１はサイド送風ノズル２２よりも洗車機本体１の入口面１ａ側に配される。また、トップ送風ノズル２１及びサイド送風ノズル２２は後述するトップブラシ４とサイドブラシ３０との間に配される。
【００３３】
洗車機本体１には被洗浄車両ＣＡ上に摺動してブラッシングするトップブラシ４、サイドブラシ５（第１サイドブラシ）、ロッカーブラシ６及びサイドブラシ３０（第２サイドブラシ）から成る複数の回転ブラシが設けられる。
【００３４】
サイドブラシ５は洗車機本体１の出口面１ｂ側に左右一対に設けられる。また、サイドブラシ５は回転軸（不図示）を上下方向に配され、被洗浄車両ＣＡの前面及び被洗浄車両ＣＡの側面の前部の洗浄領域Ｔ１（図９参照）を洗浄する。
【００３５】
トップブラシ４はサイドブラシ５に対して洗車機本体１の入口面１ａ側に配される。また、トップブラシ４は回転軸（不図示）を水平方向に配して被洗浄車両ＣＡの上面に沿って昇降し、被洗浄車両ＣＡの上面を洗浄する。ロッカーブラシ６はサイドブラシ５とトップブラシ４との間に配され、回転軸（不図示）を上下方向に配して被洗浄車両ＣＡの両側面の下部を洗浄する。
【００３６】
サイドブラシ３０はトップブラシ４に対してサイドブラシ５の反対側に配され、洗車機本体１の入口面１ａの外側に１つ設けられている。また、サイドブラシ３０は回転軸（シャフト３０ａ）を上下方向に配され、被洗浄車両ＣＡの側面の後部の洗浄領域Ｔ２（図１０参照）及び被洗浄車両ＣＡの後面を洗浄する。
【００３７】
各回転ブラシは回転軸を形成するシャフトの周面に布、スポンジ等の複数の洗浄材が取り付けられる。このため、回転軸を上下方向に配したロッカーブラシ６、サイドブラシ５及びサイドブラシ３０は回転停止時に洗浄材が垂れ下がるため小径になり、回転時に遠心力で洗浄材が広がるため大径になる。なお、サイドブラシ３０はサイドブラシ５と異なる材質又は色彩である。
【００３８】
図３は洗車機本体１の概略正面図を示している。庇部４０（図２参照）内には左右方向に延びるレール２６（案内部）が設けられる。サイドブラシ３０はレール２６上を走行する保持部３５により保持される。これにより、サイドブラシ３０は左右方向に移動可能に配される。
【００３９】
図４はサイドブラシ３０の上部の正面図を示している。保持部３５は複数の金属板により形成され、前後に対向する一対の対向壁３５ａによりレール２６の前後面を囲む。保持部３５にはレール２６上を転動する駆動車輪２７、従動ローラ３４ａ〜従動ローラ３４ｅが設けられる。
【００４０】
駆動車輪２７は軸方向を水平に配して保持部３５に軸支される。駆動車輪２７は保持部３５に取り付けられる移動モータ３６の駆動によりレール２６の上面２６ａを転動する。レール２６の上面２６ａは前後端に傾斜面が形成され、駆動車輪２７の周面は上面２６ａの前後の傾斜面に沿ってＶ字状に形成される。これにより、駆動車輪２７はレール２６の上面２６ａ上を安定して転動することができる。
【００４１】
従動ローラ３４ａは軸方向を水平に対して傾斜して保持部３５に軸支され、上面２６ａの前後の傾斜面に沿って前後一対設けられる。従動ローラ３４ｂ、３４ｃは軸方向を水平に配して軸支部２５に軸支され、レール２６の下面２６ｂを転動する。従動ローラ３４ｄ、３４ｅは軸方向を鉛直に配して保持部３５に軸支され、レール２６の側面２６ｃを転動する。
【００４２】
対向壁３５ａ上にはサイドブラシ３０を軸支する軸支部２５が設けられる。サイドブラシ３０の回転軸を形成するシャフト３０ａは水平断面が矩形の中空のロッド３０ｂに挿通され、ロッド３０ｂ内に配した軸受（不図示）により回転可能に支持される。シャフト３０ａは保持部３５に設置される回転モータ（不図示）に連結され、回転モータの駆動によってサイドブラシ３０が上下に延びる回転軸を中心に回転する。
【００４３】
また、ロッド３０ｂの前後面には軸部３０ｄが突設され、軸支部２５には軸部３０ｄに嵌合する軸受２５ａが設けられる。これにより、保持部３５は軸部３０ｄを中心にサイドブラシ３０を左右方向に傾斜可能に保持する。
【００４４】
軸支部２５には軸部３０ｄの上方及び下方にそれぞれ近接スイッチから成る傾斜センサ２５ｂ及び傾斜センサ２５ｃが設けられる。ロッド３０ｂには傾斜センサ２５ｂの上方に対向部材３９ｂが配され、傾斜センサ２５ｃの下方に対向部材３９ｃが配される。
【００４５】
対向部材３９ｂ及び対向部材３９ｃはそれぞれ傾斜センサ２５ｂ及び傾斜センサ２５ｃに対向してサイドブラシ３０の傾斜量を検知する。移動モータ３６の駆動により左右方向に移動するサイドブラシ３０は被洗浄車両ＣＡに当接すると傾斜する。そして、傾斜センサ２５ｂが対向部材３９ｂに対向すると移動モータ３６が停止され、サイドブラシ３０が洗浄時に所望の傾斜量に配される。また、傾斜センサ２５ｃが対向部材３９ｃに対向すると移動モータ３６が停止され、サイドブラシ３０が洗浄時に所望の傾斜量に配される。
【００４６】
即ち、被洗浄車両ＣＡの右側面を洗浄する際には、傾斜センサ２５ｂが図中、対向部材３９ｂに対向してサイドブラシ３０が所望の傾斜量に到達したことを検知する。被洗浄車両ＣＡの左側面を洗浄する際には、傾斜センサ２５ｃが図中、対向部材３９ｃに対向してサイドブラシ３０が所望の傾斜量に到達したことを検知する。
【００４７】
また、対向部材３９ｂ、３９ｃの右側に新たに対向部材を増加させ、増加させた対向部材によりサイドブラシ３０の傾斜量の異常を検知してもよい。異常が検知されると、移動モータ３６によりサイドブラシ３０が被洗浄車両ＣＡから退避することができる。
【００４８】
保持部３５には軸部３０ｄよりも上方に配した複動式のエアシリンダ３２が設置される。エアシリンダ３２は円筒形のシリンダチューブ３２ｂ及びシリンダロッド３２ａを有し、シリンダロッド３２ａの先端がロッド３０ｂの上端部に回転可能に連結される。シリンダチューブ３２ｂの前端及び後端には配管３３が接続され、一方の配管３３を介して空気が供給される。これにより、シリンダロッド３２ａが伸びた状態と縮んだ状態とに可変され、エアシリンダ３２によりサイドブラシ３０を軸部３０ｄの周方向に付勢する。
【００４９】
即ち、被洗浄車両ＣＡの左側面の洗浄時にシリンダロッド３２ａが伸び、被洗浄車両ＣＡに当接するサイドブラシ３０はエアシリンダ３２の付勢力に抗して図中、時計回りに傾斜する。また、被洗浄車両ＣＡの右側面の洗浄時にシリンダロッド３２ａが縮み、被洗浄車両ＣＡに当接するサイドブラシ３０はエアシリンダ３２の付勢力に抗して図中、反時計回りに傾斜する。
【００５０】
これにより、一のエアシリンダ３２によってサイドブラシ３０を左右の両方向に付勢することができる。また、２本のコイルバネによりサイドブラシ３０を左右の両方向に付勢すると、コイルバネの自由長から中立位置までの伸縮による弾性力は相殺される。このため、中立位置から傾斜したサイドブラシ３０に対する付勢力が小さくなり、大きな付勢力を得ることが困難である。
【００５１】
これに対してエアシリンダ３２は空気の供給方向を切り替えることにより、サイドブラシ３０に対して左右の両方向に大きな付勢力を得られる。従って、被洗浄車両ＣＡの両側面に対する押圧力が大きく洗浄力の大きいサイドブラシ３０を容易に実現することができる。なお、エアシリンダ３２は単動式でもよいが複動式にすると、左右の両方向の付勢力が空気圧により得られる。このため、サイドブラシ３０の傾斜量が変動しても付勢力を安定させることができ、被洗浄車両ＣＡに対するサイドブラシ３０の押圧力を均一にすることができる。
【００５２】
なお、サイドブラシ５も同様の構成により左右方向に移動可能に配される。この時、サイドブラシ５が左右一対配されるため、傾斜センサ２５ｂ、２５ｃは一方向の傾斜を検知する。また、エアシリンダ３２に替えてサイドブラシ５を傾斜方向の一方向に付勢するコイルバネが設けられる。
【００５３】
サイドブラシ３０のシャフト３０ａはロッド３０ｂに対して取り外し可能に設けられる。また、庇部４０は天井部９１に軸部４０ａ（図１参照）で回動可能に設けられる。このため、図５に示すように、サイドブラシ３０を取り外して庇部４０を下方に回動すると、洗車機本体１の前後幅を小さくすることができる。これにより、洗車機本体１の運搬時に運搬車両の荷台の左右方向に洗車機本体１の前後方向を配して洗車機本体１を荷台に載置することができる。
【００５４】
図６、図７は洗車機本体１の右前部の上面図及び斜視図を示している。洗車機本体１には両スタンド部９０の側端部から被洗浄車両ＣＡの進入側に突出して上下方向に延びる飛水カバー５１が設けられる。飛水カバー５１はアクリル板等により形成され、庇部４０の下方を左右方向に移動するサイドブラシ３０の飛水を遮蔽する。これにより、サイドブラシ３０による洗浄水の飛散を低減することができる。
【００５５】
右側のスタンド部９０には飛水カバー５１に沿って被洗浄車両ＣＡの進入側に突出する支持部８ａが設けられ、支持部８ａの先端には操作パネル８（操作部）が配される。操作パネル８は複数の操作ボタン（不図示）を有し、手動による洗車開始の指示や洗車停止の指示等の入力操作を行うことができる。
【００５６】
操作パネル８は洗車機本体１の左右方向の中央に向かって被洗浄車両ＣＡの進入側に傾斜する。これにより、洗車機本体１の前後幅を小さくできるとともに、右端部に配されたサイドブラシ３０と操作パネル８との干渉を回避して操作パネル８上の操作ボタンの設置面積を広く確保することができる。
【００５７】
上記構成の洗車機ＷＡにおいて、リモートパネル７から所定の洗車設定を行い所定の位置に被洗浄車両ＣＡを停止させる。この時、リモートパネル７の操作により、サイドブラシ３０は被洗浄車両ＣＡの助手席側（通常左側）の初期位置Ｙ１（図８参照）に配されている。これにより、運転手が洗車開始前に容易に降車することができる。また、運転手が洗車機本体１に乗り入れる前に降車して操作パネル８により設定してもよい。
【００５８】
被洗浄車両ＣＡが所定位置に停車すると、洗車機本体１が洗車開始位置Ｕ１（図８参照）から前後方向に移動して洗車が行われる。図８〜図１０は洗車機本体１による洗浄時の状態を示す上面図である。
【００５９】
洗車が開始されると、図８の矢印Ｄ１に示すように洗車機本体１は洗車開始位置Ｕ１から被洗浄車両ＣＡの後方へ向かって移動を開始する。洗車機本体１の移動に伴って車両検出センサ９は被洗浄車両ＣＡの形状を検知する。
【００６０】
この時、サイドブラシ３０はサイドブラシ３０による洗浄時よりも低速で回転する。サイドブラシ３０はスタンド部９０よりも被洗浄車両ＣＡの進入側に突出するため、人がサイドブラシ３０の近傍に存在する可能性がある。このため、回転停止したサイドブラシ３０を高速回転して洗浄を行うと怪我の危険がある。従って、サイドブラシ３０を洗浄前に低速で回転させることにより、高速回転が行われることを事前に認知させて危険を防止することができる。
【００６１】
トップブラシ４は車両検出センサ９により検出した被洗浄車両ＣＡの形状に沿って昇降する。これにより、被洗浄車両ＣＡの上面が洗浄される。
【００６２】
車両検出センサ９により検出した被洗浄車両ＣＡの前端にサイドブラシ５が配されると洗車機本体１が停止し、左右のサイドブラシ５が回転して左右方向に移動する。これにより、被洗浄車両ＣＡの前面が洗浄される。
【００６３】
被洗浄車両ＣＡの前面の洗浄が終了すると左右のサイドブラシ５が離れ、図９に示すように再び洗車機本体１は被洗浄車両ＣＡの後方へ向かって移動する。これにより、サイドブラシ５によって被洗浄車両ＣＡの側面の前部が洗浄される。
【００６４】
この時、サイドブラシ５は進行方向の反対方向に被洗浄車両ＣＡ上を摺動する方向に回転する。即ち、左方のサイドブラシ５は回転方向Ｖ１（図中、反時計回り）に回転し、右方のサイドブラシ５は回転方向Ｖ２（図中、時計回り）に回転する。
【００６５】
同図に示すようにトップブラシ４が被洗浄車両ＣＡの後端まで洗浄すると、洗車機本体１が停止してトップブラシ４及びサイドブラシ５が停止する。これにより、被洗浄車両ＣＡの上面の洗浄が完了し、両側面の前部の洗浄領域Ｔ１の洗浄が完了する。
【００６６】
この時、トップブラシ４とサイドブラシ３０との中心間距離をＬ、トップブラシ４の半径をＲ１、サイドブラシ３０の半径をＲ２とすると、被洗浄車両ＣＡの後方に洗車機本体１が突出する距離Ｗは約Ｌ＋Ｒ２−Ｒ１である。
【００６７】
次に、図１０に示すように、洗車機本体１が被洗浄車両ＣＡの前方に向かって移動し、サイドブラシ３０が洗浄領域Ｔ１の終端に配されると洗車機本体１が停止する。そして、サイドブラシ３０は矢印Ｅ１に示すように被洗浄車両ＣＡに沿って移動し、被洗浄車両ＣＡの両側面の後部の洗浄領域Ｔ２及び被洗浄車両ＣＡの後面を洗浄する。
【００６８】
即ち、洗車機本体１が被洗浄車両ＣＡの後方に向かって移動し、サイドブラシ３０により被洗浄車両ＣＡの左側面の洗浄領域Ｔ２が洗浄される。次に、洗車機本体１が停止してサイドブラシ３０が左右方向に移動し、被洗浄車両ＣＡの後面が洗浄される。次に、洗車機本体１が被洗浄車両ＣＡの前方に向かって移動し、サイドブラシ３０により被洗浄車両ＣＡの右側面の洗浄領域Ｔ２が洗浄される。
【００６９】
図１１〜図１４はこの時のサイドブラシ３０による洗浄状態を示す正面図である。サイドブラシ３０による洗浄が開始する際に、エアシリンダ３２はシリンダロッド３２ａが伸びる方向に空気を供給される。そして、図１１に示すように保持部３５が移動モータ３６の駆動によりレール２６の左端から右方向に案内されて移動し、サイドブラシ３０が被洗浄車両ＣＡの左側面に当接する。
【００７０】
これにより、サイドブラシ３０はエアシリンダ３２の付勢力に抗して左右方向に傾斜し、傾斜センサ２５ｂの検知により所定の傾斜量に配されると移動モータ３６が停止される。この時、サイドブラシ３０は進行方向の反対方向に被洗浄車両ＣＡ上を摺動する回転方向Ｖ３（第１回転方向、図１０参照）で回転し、被洗浄車両ＣＡの左側面を洗浄する。
【００７１】
サイドブラシ３０が被洗浄車両ＣＡよりも後方に配されると、洗車機本体１が移動を停止する。この時、サイドブラシ３０が被洗浄車両ＣＡの側面からの押圧力から解放されるので、シリンダロッド３２ａが伸長する。このため、図１２に示すようにサイドブラシ３０は下端が右側に向くように傾斜する。そして、移動モータ３６の駆動によりサイドブラシ３０が右方に移動し、被洗浄車両ＣＡの後面が洗浄される。この時、サイドブラシ３０は回転方向Ｖ３で回転する。
【００７２】
サイドブラシ３０が被洗浄車両ＣＡの後面の略中央部Ｐ１に到達すると、エアシリンダ３２はシリンダロッド３２ａが縮む方向に空気を供給される。このため、図１３に示すようにサイドブラシ３０は下端が左側に向くように傾斜する。被洗浄車両ＣＡの後面の洗浄終了時にエアシリンダ３２はシリンダロッド３２ａが縮む方向に空気を供給してもよい。
【００７３】
また、サイドブラシ３０の回転モータが反転され、サイドブラシ３０が回転方向Ｖ３と反対の回転方向Ｖ４（第２回転方向、図１０参照）で回転する。これにより、回転方向Ｖ４で回転するサイドブラシ３０により被洗浄車両ＣＡの残りの後面が洗浄される。
【００７４】
サイドブラシ３０は被洗浄車両ＣＡの後面の左半分で進行方向の反対方向に被洗浄車両ＣＡ上を摺動する回転方向Ｖ３で回転し、右半分で進行方向に被洗浄車両ＣＡ上を摺動する回転方向Ｖ４で回転する。このため、被洗浄車両ＣＡにリアワイパが設けられた際に、サイドブラシ３０がリアワイパの支軸から開放端に向かって摺動してリアワイパを被洗浄車両ＣＡの後面に押しつける。これにより、リアワイパの開放端が回転するサイドブラシ３０により被洗浄車両ＣＡの後面から引き剥がされることによるリアワイパの破損を防止することができる。
【００７５】
サイドブラシ３０は被洗浄車両ＣＡの後面の洗浄を終了すると、レール２６の右端まで移動する。この時、サイドブラシ３０の回転モータが反転され、サイドブラシ３０が回転方向Ｖ３（図１０参照）で回転する。
【００７６】
また、図１４に示すように保持部３５が移動モータ３６の駆動によりレール２６の右端から左方向に案内されて移動し、サイドブラシ３０が被洗浄車両ＣＡの右側面に当接する。これにより、サイドブラシ３０はエアシリンダ３２の付勢力に抗して左右方向に傾斜し、傾斜センサ２５ｂの検知により所定の傾斜量に配されると移動モータ３６が停止される。そして、洗車機本体１が被洗浄車両ＣＡの前方に移動し、サイドブラシ３０により被洗浄車両ＣＡの右側面の洗浄領域Ｔ２の洗浄が行われる。
【００７７】
なお、洗浄領域Ｔ２の始端と洗浄領域Ｔ１の終端とは一致しているが、洗浄領域Ｔ２の始端を洗浄領域Ｔ１の終端よりも前方に設定してもよい。即ち、洗浄領域Ｔ１の洗浄後に少なくとも洗浄領域Ｔ１の終端にサイドブラシ３０が配されるまで洗車機本体１を前方に移動させればよい。
【００７８】
また、サイドブラシ５により洗浄領域Ｔ１を洗浄した後に洗車機本体１が前方に移動する間に、サイドブラシ３０により被洗浄車両ＣＡの一側面の洗浄領域Ｔ２を洗浄してもよい。
【００７９】
サイドブラシ３０による両側面の洗浄領域Ｔ２の洗浄が完了すると、洗車機本体１が被洗浄車両ＣＡの後方に向かって移動して図１５に示す乾燥開始位置Ｕ２に配される。乾燥開始位置Ｕ２ではトップ送風ノズル２１により被洗浄車両ＣＡの後面が乾燥される。乾燥開始位置Ｕ２に配された洗車機本体１が矢印Ｄ２に示すように被洗浄車両ＣＡの前方に向かって移動すると、トップ送風ノズル２１及びサイド送風ノズル２２によって被洗浄車両ＣＡの乾燥が行われる。
【００８０】
トップ送風ノズル２１、サイド送風ノズル２２により被洗浄車両ＣＡの乾燥が終了すると洗車機本体１は被洗浄車両ＣＡの後方に移動し、被洗浄車両ＣＡが前進して退出する。この時、サイドブラシ３０が被洗浄車両ＣＡの後端よりも後方に配されることが検知されると、サイドブラシ３０が左右方向に移動して初期位置Ｙ１（図８参照）に復帰する。この時、次の被洗浄車両ＣＡの洗車設定がされている場合は、被洗浄車両ＣＡの助手席の位置に応じて初期位置Ｙ１が可変される。
【００８１】
これにより、洗車機本体１の前後方向の移動とサイドブラシ３０の左右方向の移動とが同時に行われ、洗車時間を短縮することができる。後述する洗車機本体１が洗車開始位置Ｕ１に復帰する際にサイドブラシ３０が左右方向に移動して初期位置Ｙ１（図８参照）に復帰してもよい。
【００８２】
被洗浄車両ＣＡが退出したことが確認されると、洗車機本体１が洗車開始位置Ｕ１に復帰し、洗車が終了する。そして、洗車終了後の所定期間にサイドブラシ３０をあらかじめ洗浄時よりも低速で回転させ、そして脱水される。低速で回転するため、高速回転が行われることを事前に認知させて危険を防止することができる。また、サイドブラシ３０の水分を除去して冬季のサイドブラシ３０の凍結防止を実行することができる。
【００８３】
本実施形態によると、一対のサイドブラシ５（第１サイドブラシ）とサイドブラシ５に対して被洗浄車両ＣＡの進入側に配した一のサイドブラシ３０（第２サイドブラシ）との間にトップブラシ４が配される。また、サイドブラシ５により被洗浄車両ＣＡの両側面の前部の洗浄領域Ｔ１及び被洗浄車両ＣＡの前面を洗浄する。サイドブラシ３０によって被洗浄車両ＣＡの両側面の後部の洗浄領域Ｔ２及び被洗浄車両ＣＡの後面を洗浄する。このため、洗車機本体１が被洗浄車両ＣＡの後方に突出する距離Ｗを小さくすることができる。これにより、洗車機本体１の前後ストロークを短縮し、洗車機ＷＡの設置スペースの省スペース化を図ることができる。
【００８４】
また、サイドブラシ３０が被洗浄車両ＣＡの後面を洗浄する際に被洗浄車両ＣＡの後面の左右方向の一端から他端に向かって進行する。そして、後面の一端から中央部Ｐ１の間で進行方向の反対方向に被洗浄車両ＣＡ上を摺動する回転方向Ｖ３（第１回転方向）で回転する。また、後面の中央部Ｐ１から他端の間でＶ３（第１回転方向）の反対方向のＶ４（第２回転方向）で回転する。このため、被洗浄車両ＣＡにリアワイパが設けられた際に、サイドブラシ３０がリアワイパの支軸から開放端に向かって摺動してリアワイパを被洗浄車両ＣＡの後面に押しつける。これにより、リアワイパの開放端が回転するサイドブラシ３０により被洗浄車両ＣＡの後面から引き剥がされることによるリアワイパの破損を防止することができる。
【００８５】
また、サイドブラシ３０が被洗浄車両ＣＡの一側面を洗浄する際に被洗浄車両ＣＡの後方に進行して回転方向Ｖ３で回転し、他側面を洗浄する際に被洗浄車両ＣＡの前方に進行して回転方向Ｖ３で回転する。これにより、サイドブラシ３０と被洗浄車両ＣＡとの接触時間を大きくし、洗浄力を向上することができる。
【００８６】
また、洗車開始時にサイドブラシ３０が洗浄時よりも低速で回転する。これにより、高速回転が行われることを事前に認知させて危険を防止することができる。
【００８７】
また、洗車終了後の所定期間にサイドブラシ３０が洗浄時よりも低速で回転する。これにより、高速回転が行われることを事前に認知させて危険を防止することができる。また、サイドブラシ３０の水分を除去して冬季のサイドブラシ３０の凍結防止を実行することができる。
【００８８】
また、サイドブラシ３０がサイドブラシ５と異なる材質または色彩である。これにより、サイドブラシ３０をアピールさせ、集客率を向上することができる。
【００８９】
また、サイドブラシ５とサイドブラシ３０との間に送風ノズル（２１、２２）が配されるので、洗車機本体１が被洗浄車両ＣＡの後方に突出する距離Ｗを確実に小さくすることができる。従って、洗車機ＷＡの設置スペースの省スペース化をより確実に図ることができる。
【００９０】
また、洗車機本体１が被洗浄車両ＣＡの乾燥時に被洗浄車両ＣＡの前方に向かって進行して、乾燥終了時に被洗浄車両ＣＡの後方に向かって進行する。そして、回転ブラシ３０が被洗浄車両ＣＡの後方に配された後に左右方向に移動して被洗浄車両ＣＡの助手席側に配される。これにより、洗車機本体１の前後方向の移動とサイドブラシ３０の左右方向の移動とが同時に行われ、洗車時間を短縮することができる。
【００９１】
また、入力操作を行うリモートパネル７（操作部）を備え、リモートパネル７（操作部）の入力設定により洗車の開始時にサイドブラシ３０が被洗浄車両ＣＡの助手席側に配される。なお、操作パネル８の入力設定によっても、洗車の開始時にサイドブラシ３０が被洗浄車両ＣＡの助手席側に配される。これにより、運転手が洗車開始前に容易に降車することができ、洗車機ＷＡの利便性を向上できる。
【００９２】
本実施形態において、レール２６を前後方向に傾斜して配置し、図１６に示すように、サイドブラシ３０が上方を被洗浄車両ＣＡの前方に向けて傾斜してもよい。これにより、被洗浄車両ＣＡの後面の洗浄時にサイドブラシ３０を被洗浄車両ＣＡの後面に沿って配置され、洗浄力を向上することができる。
【産業上の利用可能性】
【００９３】
本発明によると、被洗浄車両を洗浄する回転ブラシを備えた洗車機に利用することができる。
【符号の説明】
【００９４】
１      洗車機本体
１ａ    入口面
１ｂ    出口面
２      レール
３      車輪
４      トップブラシ
５      サイドブラシ（第１サイドブラシ）
６      ロッカーブラシ
７      リモートパネル（操作部）
８      操作パネル（操作部）
９      車両検出センサ
１１      第２浄水ノズル
１２      第２洗剤ノズル
１４      撥水コートノズル
１６      ワックスノズル
２０      ブロア
２１      トップ送風ノズル
２２      サイド送風ノズル
２５      軸支部
２５ａ    軸受
２５ｂ、２５ｃ  傾斜センサ
２６      レール
２７      駆動車輪
２８      分配配管部
２９      タンク収納部
３０      サイドブラシ（第２サイドブラシ）
３０ａ    シャフト
３０ｂ    ロッド
３０ｄ    軸部
３２      エアシリンダ
３２ａ    シリンダロッド
３２ｂ    シリンダチューブ
３３      配管
３４ａ、３４ｂ、３４ｄ、３４ｅ  従動ローラ
３５      保持部
３６      移動モータ
３９      傾斜センサ
３９ｂ、３９ｃ  対向部材
３９ｄ    軸部
４０      庇部
４０ａ    軸部
５１      飛水カバー
７０      水タンク
９０      スタンド部
９１      天井部
ＣＡ      被洗浄車両
Ｇ      地面
Ｒ      進入路
Ｔ１、Ｔ２  洗浄領域
Ｕ１      洗車開始位置
Ｕ２      乾燥開始位置
Ｖ１、Ｖ２  回転方向
Ｖ３      回転方向（第１回転方向）
Ｖ４      回転方向（第２回転方向）
ＷＡ      洗車機
Ｙ１      初期位置
【図１】
2018172055.tif 000003
【図２】
2018172055.tif 000004
【図３】
2018172055.tif 000005
【図４】
2018172055.tif 000006
【図５】
2018172055.tif 000007
【図６】
2018172055.tif 000008
【図７】
2018172055.tif 000009
【図８】
2018172055.tif 000010
【図９】
2018172055.tif 000011
【図１０】
2018172055.tif 000012
【図１１】
2018172055.tif 000013
【図１２】
2018172055.tif 000014
【図１３】
2018172055.tif 000015
【図１４】
2018172055.tif 000016
【図１５】
2018172055.tif 000017
【図１６】
2018172055.tif 000018